(57)【要約】【課題】筐体内を効果的に冷却すること。【解決手段】第１および第２開口を有する筐体と、筐体に収容された電子機器用の部品と、筐体に収容され第１および第２開口の一方から吸気し他方から排気して前記部品を冷却する電動ファンと、第１および第２開口をそれぞれ開放可能に閉じる第１および第２蓋と、筐体内の温度を検出する温度センサと、第１および第２開口の開閉を検出する開閉センサと、警報器と、制御部とを備え、前記制御部は、前記温度センサの検出温度が所定温度を超えると前記警報器を作動させ、前記開閉センサが第１および第２蓋が開いたことを検出すると前記電動ファンを駆動させることを特徴とする。【選択図】図３
2013186543.tif 000002
【特許請求の範囲】
【請求項１】
第１および第２開口を有する筐体と、筐体に収容された電子機器用の部品と、筐体に収容され第１および第２開口の一方から吸気し他方から排気して前記部品を冷却する電動ファンと、第１および第２開口をそれぞれ開放可能に閉じる第１および第２蓋と、筐体内の温度を検出する温度センサと、第１および第２開口の開閉を検出する開閉センサと、警報器と、制御部とを備え、
前記制御部は、前記温度センサの検出温度が所定温度を超えると前記警報器を作動させ、前記開閉センサが第１および第２蓋が開いたことを検出すると前記電動ファンを駆動させることを特徴とする電子機器。
【請求項２】
バッテリ充電用の第１コンセントと、メモリカード接続用の第２コンセントとを筐体内にさらに備え、第１および第２コンセントは、第１および第２蓋が開いたとき、それぞれ第１および第２開口に露出するように前記筐体内に設置される請求項１記載の電子機器。
【請求項３】
前記警報器が表示パネルからなり、作動時には画像を表示して警報する請求項１又は２記載の電子機器。
【請求項４】
筐体と第１および第２蓋とが防水機能を有する請求項１〜３のいずれか１つに記載の電子機器。
【発明の詳細な説明】
【技術分野】
【０００１】
この発明は電子機器に関し、特に携帯電話機のような携帯型電子機器に関する。
【背景技術】
【０００２】
近年、携帯電話機等の携帯型電子機器においては、高機能化、小型化が進んでいる。しかし、高密度な実装になるにつれて、長時間使用した場合に、機器内に集積回路（ＩＣ）などの電子部品が発する熱が溜まり、機器の外表面まで高温になってしまう状況が見られるようになってきた。
これに対し、充電器に送風ファンを設け、充電器接続時に機器本体内へ送風ファンで冷却風を送り込むようにした携帯型電子機器が知られている（例えば、特許文献１参照）。
【先行技術文献】
【特許文献】
【０００３】
【特許文献１】特開２００６−１６３６５８号公報
【発明の概要】
【発明が解決しようとする課題】
【０００４】
しかしながら、充電器に送風ファンを設けたものは、充電時しか作動せず、充電時以外の温度上昇に対処することが難しいという問題があった。この発明はこのような事情を考慮してなされたもので、機器本体内に送風ファンを設け、充電時でも充電時以外でも、必要に応じて機器本体内を冷却することが可能な電子機器を提供するものである。
【課題を解決するための手段】
【０００５】
この発明は、第１および第２開口を有する筐体と、筐体に収容された電子機器用の部品と、筐体に収容され第１および第２開口の一方から吸気し他方から排気して前記部品を冷却する電動ファンと、第１および第２開口をそれぞれ開放可能に閉じる第１および第２蓋と、筐体内の温度を検出する温度センサと、第１および第２開口の開閉を検出する開閉センサと、警報器と、制御部とを備え、前記制御部は、前記温度センサの検出温度が所定温度を超えると前記警報器を作動させ、前記開閉センサが第１および第２蓋が開いたことを検出すると前記電動ファンを駆動させることを特徴とする電子機器を提供するものである。
【発明の効果】
【０００６】
この発明によれば、電動ファンが筐体内に備えられ、筐体内の温度が所定温度を超えると筐体の開口を開くように警告し、筐体の開口が開かれると電動ファンが駆動するので、筐体内温度を適正に維持することができる。
また、筐体が密封された防水型であっても同様の効果を奏することができる。
【図面の簡単な説明】
【０００７】
【図１】この発明の実施形態の携帯電話機を示す斜視図である。
【図２】図１に示す携帯電話機の制御回路を示すブロック図である。
【図３】図１に示す携帯電話機の内部構成を示す断面図である。
【図４】図１に示す携帯電話の冷却動作を示すフローチャートである。
【図５】図１に示す携帯電話の通話動作を示すフローチャートである。
【発明を実施するための形態】
【０００８】
この発明による電子機器は、第１および第２開口を有する筐体と、筐体に収容された電子機器用の部品と、筐体に収容され第１および第２開口の一方から吸気し他方から排気して前記部品を冷却する電動ファンと、第１および第２開口をそれぞれ開放可能に閉じる第１および第２蓋と、筐体内の温度を検出する温度センサと、第１および第２開口の開閉を検出する開閉センサと、警報器と、制御部とを備え、前記制御部は、前記温度センサの検出温度が所定温度を超えると前記警報器を作動させ、前記開閉センサが第１および第２蓋が開いたことを検出すると前記電動ファンを駆動させることを特徴とする。
【０００９】
バッテリ充電用の第１コンセントと、メモリカード接続用の第２コンセントとを筐体内にさらに備え、第１および第２コンセントは、第１および第２蓋が開いたとき、それぞれ第１および第２開口に露出するように前記筐体内に設置されてもよい。
前記警報器が表示パネルからなり、作動時には画像を表示して警報することが好ましい。
筐体と第１および第２蓋とが防水機能を有することが好ましい。
【００１０】
以下、図面に示す実施形態を用いてこの発明を詳述する。
図１はこの発明の実施形態である携帯電話機を示す斜視図である。
同図（ａ）に示すように、携帯電話機の本体１の筐体２は、表面３に表示部４を、右側面にフタ２５を、下側面にフタ２３を、それぞれ備える。
【００１１】
また、同図（ｂ）に示すように、筐体２は、裏面５に撮像部６と受話部７と送話部８とを備える。撮像部６、受話部７および送話部８は、それぞれ、カメラ、スピーカおよびマイクロホンから構成される。
【００１２】
表示部４は液晶表示パネルからなり、その表面にタッチパネルからなる操作部９を備える。なお、筐体２は防水機能を有し、表示部４、撮像部６、受話部７、送話部８、操作部９、フタ２３およびフタ２５もそれぞれ防水機能を有するように構成されている。
【００１３】
図２は図１に示す携帯電話機の制御回路を示すブロック図である。
同図に示すように携帯電話機は、アンテナ１１と、アンテナ１１を介して無線信号を送受信する無線通信部１２と、受話部（スピーカ）７と、送話部（マイクロホン）８と、受話部７へ音声信号を出力し送話部８から音声信号を受け入れるための音声処理部１３と、表示部（液晶表示パネル）４と、表示部４の表示を制御する表示制御部１４と、操作部（タッチパネル）９と、撮像部（カメラ）６と、撮像部６が撮像した画像データを処理する画像処理部１７と、主制御部１５を備える。
なお、主制御部１５はＣＰＵ、ＲＯＭ、ＲＡＭからなるマイクロコンピュータを備える。
【００１４】
さらに、携帯電話機は、フタ２３（図１）およびフタ２５（図１）の開閉をそれぞれ検出する開閉センサとしての開閉検出スイッチＳＷ１、ＳＷ２と、筐体２内の温度を検出する温度センサ１０と、筐体２内を空冷する電動ファン１６と、電動ファン１６を駆動するモータ駆動部１８と、撮像部６が撮像した画像データを格納するためのメモリカードを接続するためのメモリカードコンセント１９と、携帯電話機を駆動するバッテリ２０と、バッテリ２０へ外部電源からの給電プラグを接続する給電コンセント２１を備える。
【００１５】
図３はこの発明の携帯電話機の内部構成を示す断面図である。
同図に示すように筐体２は、下側面に長方形の第１開口２２を、右側面に長方形の第２開口２４を備え、第１および第２開口２２、２４にはそれぞれフタ２３、２５が設けられている。
【００１６】
フタ２３は一端がヒンジで支持され、使用者が第１開口２２に対して矢印Ａ方向に開閉することができ、閉鎖時には第１開口２２を防水するようになっている。フタ２５も同様に、一端がヒンジで支持され、使用者が第２開口２４に対して矢印Ｂ方向に開閉することができ、閉鎖時には第２開口２４を防水するようになっている。
【００１７】
筐体２の内部には、プリント配線板ＰＢが設置され、プリント配線板ＰＢには、図２に示す無線通信部１２、音声処理部１３、表示制御部１４、画像処理部１７、モータ駆動部１８および主制御部１５をそれぞれ構成する電子部品と、温度センサ１０と、開閉検出スイッチＳＷ１、ＳＷ２と、バッテリ２０と、給電コンセント２１と、電動ファン１６と、メモリカードコンセント１９などが搭載されている。
【００１８】
そして、図３に示すように、電動ファン１６と給電コンセント２１は、フタ２３が開かれたときに第１開口２２に露出するように配置され、開閉検出スイッチＳＷ１はフタ２３が閉じられたときにフタ２３に接触できる位置に配置される。
【００１９】
同様に、メモリカードコンセント１９は、フタ２５が開かれたときに第２開口２４の一部に露出するように配置され、開閉検出スイッチＳＷ２はフタ２５が閉じられたときにフタ２５に接触できる位置に配置される。また、温度センサ１０は、プリント配線板ＰＢ上で筐体２の内部温度を最も効率よく検出できる位置に配置される。
【００２０】
次に、図１〜図３に示す携帯電話機の筐体２内の冷却動作について図４に示すフローチャートを用いて説明する。
操作部９（図１）から電源をオンする指令が入力され、バッテリ２０から各電子部品へ給電される。図４に示すステップＳ１において温度センサ１０の検出温度Ｔが基準温度Ｔｓ（例えば４０℃）を超えると、表示部４に「フタを開けて排熱して下さい」という警告文が表示される（ステップＳ２）。使用者がフタ２３、２５を開いて第１および第２開口２２、２４を開放すると、開閉検出スイッチＳＷ１、ＳＷ２が「開」を検出する（ステップＳ３）。
【００２１】
そこで、表示部４の「フタを開けて排熱して下さい」という表示が「排熱中」に切替えられ（ステップＳ４）、同時に電動ファン１６の駆動が開始される（ステップＳ５）。それによって、図３に示すように矢印Ｃ又はＤ方向に冷却風が流れ、筐体２内の冷却が開始される。
【００２２】
次に、フタ２３、２５のいずれもが閉じられず開閉検出スイッチＳＷ１、ＳＷ２がいずれも「閉」を検出しない場合には（ステップＳ６）、冷却状態が持続される。そして、温度センサ１０の検出温度Ｔが基準温度Ｔｓ以下になると（ステップＳ７）、電動ファン１６が停止されると共に（ステップＳ８）、表示部４の「排熱中」という表示が「フタを閉じて下さい」に切替えられる（ステップＳ９）。
【００２３】
フタ２３、２５が閉じられ開閉検出スイッチＳＷ１、ＳＷ２が共に「閉」を検出すると（ステップＳ１０）、表示部４の「フタを閉じて下さい」という表示が消去され（ステップＳ１１）、ルーチンはステップＳ１へ戻る。
【００２４】
また、ステップＳ６においてフタ２３又は２５のいずれかが閉じられ、開閉検出スイッチＳＷ１、ＳＷ２のいずれかが「閉」を検出したときには、電動ファン１６が停止し（ステップＳ１２）、ルーチンはステップＳ２へ戻り、「フタを開けて排熱して下さい」という警告文が表示される。
このようにして筐体２の内部温度は安全な適正温度に保持される。
【００２５】
なお、図３の矢印Ｃ、Ｄで示す冷却風の流れは、電動ファン１６の回転方向によって決定される。筐体２内の電子部品全体を平均的に冷却する場合には矢印Ｄ方向の吸出し方式が好ましい。また、ＣＰＵのような温度上昇し易い部品を特に冷却したい場合には、その部品を電動ファン１６の近傍に設置して冷却風を直接吹きつけられるように矢印Ｃ方向の吹込み方式が好ましい。
【００２６】
次に、図１〜図３に示す携帯電話機の通話動作の一例について図５に示すフローチャートを用いて説明する。
図５に示すように、ステップＳ２１において、携帯電話機は着信を待機する。着信が着信音やメロディなどで使用者に通知されると（ステップＳ２２）、表示部４に着信情報（相手の氏名や電話番号）が表示される（ステップＳ２３）。
【００２７】
使用者は、表示部４に表示された着信情報を確認する。そして、操作部９によって受話の開始操作を行う（ステップＳ２４）。
【００２８】
同時に、裏面５を顔に近づけ受話部７と送話部８をそれぞれ耳と口の位置に対応させる。通話が行われ（ステップＳ２５）、やがて通話が終了して使用者が操作部９によって通話終了操作を行うと（ステップＳ２６）、通話は終了し（ステップＳ２７）、ルーチンはステップＳ２１に戻る。
【００２９】
次に、ステップＳ２１において、着信を待機せず送話を行う場合には、操作部９によって送話の開始操作を行う（ステップＳ３０）。それによって、電話番号が表示部４に表示される（ステップＳ３１）。表示された電話番号を操作部９によって検索すると共に所望の番号の決定指示を行う（ステップＳ３２、Ｓ３３）。
【００３０】
その操作によって、相手への呼出し動作が行われ（ステップＳ３４）、相手に着信すると（ステップＳ３５）、ルーチンはステップＳ２５へ移り、通話制御が行われる（ステップＳ２５）。
【００３１】
ステップＳ３５において相手に着信しないときには、呼出し終了操作をタッチパネル９によって行うと（ステップＳ３６）、送話操作は終了し、ルーチンはステップ２１へ戻る。このようにして、通話動作が行われる。
また、撮像部（カメラ）６による撮像は、操作部９から撮像モードを指示し、表示部４に表示される表示内容に応じて操作することにより行うことができる。
【符号の説明】
【００３２】
１  本体
２  筐体
３  表面
４  表示部
５  裏面
６  撮像部
７  受話部
８  送話部
９  操作部
１０  温度センサ
１１  アンテナ
１２  無線通信部
１３  音声処理部
１４  表示制御部
１５  主制御部
１６  電動ファン
１７  画像処理部
１８  モータ駆動部
１９  メモリカードコンセント
２０  バッテリ
２１  給電コンセント
２２  第１開口
２３  フタ
２４  第２開口
２５  フタ
Ｓ１  開閉検出スイッチ
Ｓ２  開閉検出スイッチ
ＰＢ  プリント配線板
【図１】
2013186543.tif 000003
【図２】
2013186543.tif 000004
【図３】
2013186543.tif 000005
【図４】
2013186543.tif 000006
【図５】
2013186543.tif 000007